(57)【要約】【課題】本考案はレンズの前方に別レンズなどを配設し、それを上下移動して２種類のレンズなどが使い分け出来ると共に、装着者の目の高さ（装着状態）が変化しない眼鏡状のフレームを提供することを目的とする。【解決手段】レンズを保持する一対のレンズ保持枠１と、該一対のレンズ保持枠１を連結するブリッジ２と、先端側が折畳み可能に取付けられたツル４と、鼻に当接して支持させる鼻当部５と、から少なくとも構成し、且つ、レンズ保持枠１の前方に対向させた可動レンズ保持枠６を配設すると共に該可動レンズ保持枠６を上下移動させるための上下移動手段８を設けた構造とする。【選択図】図１
0003214278.tif 000002
【実用新案登録請求の範囲】
【請求項１】
レンズを保持する一対のレンズ保持枠（１）と、該一対のレンズ保持枠（１）を連結するブリッジ（２）と、先端側が折畳み可能に取付けられたツル（４）と、鼻に当接して支持させる鼻当部（５）と、から少なくとも構成した眼鏡状のフレームに於いて、前記レンズ保持枠（１）の前方に対向させた可動レンズ保持枠（６）を配設すると共に該可動レンズ保持枠（６）を上下移動させるための上下移動手段（８）を設けたことを特徴とする眼鏡状のフレーム。
【請求項２】
前記上下移動手段（８）が、略Ｊ字状に形成すると共に略Ｊ字状の前後を反転させて前記ツル（４）の先端部（4a）に固着した支持軸（81）と、該支持軸（81）に挿入して上下移動可能であると共に前記可動レンズ保持枠（６）に連結した軸受（82）と、前記可動レンズ保持枠（６）が前記レンズ保持枠（１）の上方で保持できるストッパー部材（83）と、から少なくとも構成された請求項１記載の眼鏡状のフレーム。
【請求項３】
前記上下移動手段（８）が、ガイド溝（85a）を有した角柱状に形成すると共にその上部を前記ツル（４）の先端部（4a）に固着させた支持柱（85）と、該支持柱（85）に挿入して上下移動可能であると共に前記可動レンズ保持枠（６）に固着した挿入片（86）と、前記可動レンズ保持枠（６）が前記レンズ保持枠（１）の上方で保持できるストッパー部材（83）と、から少なくとも構成された請求項１記載の眼鏡状のフレーム。
【考案の詳細な説明】
【技術分野】
【０００１】
本考案はレンズの前方に別レンズなどを配設し、それを上下移動して２種類のレンズなどが使い分け出来る眼鏡状のフレームに関する。
【背景技術】
【０００２】
一般に眼鏡のレンズの前方に別レンズを装着する眼鏡としては、例えばサングラスを取外し自在に眼鏡に装着される前掛け式サングラスや、眼鏡に装着されて跳ね上げ式サングラスなどがある。前掛け式サングラスは、眼鏡を装着した状態ではね上げることが出来ないものであり、且つ、眼鏡から取外した後、紛失し易く、圧迫等により壊れ易いものであった。一方、跳ね上げ式サングラスは、眼鏡との間の枢支構造が複雑であった。
【０００３】
又、レンズの前方に配設される補助レンズと、該補助レンズを縦方向に移動させる移動機構と、眼鏡に着脱自在に取付けるための取付け手段を設けた補助眼鏡が、特開平１１−３０７６８号で提案されている。この目的は、視線を真直ぐに向けたままでも種類の異なる視力矯正が行えるようにして、快適な使用状態を可能にすることである。
【０００４】
しかしながら、特開平１１−３０７６８号の移動機構が、金属製線状体を門形に形成した摺動枠と、これを保持する固定枠とからなるものである。また摺動枠の摺動部の下端が補助レンズの内側に埋設されており、上下移動する時は摺動部によって補助レンズを持上げる状態となる。このため、補助レンズの外側がふらつき易いものであると共に、移動機構全体が視野に入り、煩わしさやうっとうしさを感じるものとなっていた。更に特開平１１−３０７６８号には補助レンズの取付け手段が設けられているので、構造が複雑になっていた。
【先行技術文献】
【特許文献】
【０００５】
【特許文献１】特開平１１−３０７６８号公報
【考案の概要】
【考案が解決しようとする課題】
【０００６】
本考案はレンズの前方に別レンズなどを配設し、それを上下移動して２種類のレンズなどが使い分け出来ると共に、装着者の目の高さ（装着状態）が変化しない眼鏡状のフレームを提供することを目的とする。
【課題を解決するための手段】
【０００７】
本考案は上記現状に鑑みて成されたものであり、つまり、レンズを保持する一対のレンズ保持枠と、該一対のレンズ保持枠を連結するブリッジと、先端側が折畳み可能に取付けられたツルと、鼻に当接して支持させる鼻当部と、から少なくとも構成し、且つ、レンズ保持枠の前方に対向させた可動レンズ保持枠を配設すると共に該可動レンズ保持枠を上下移動させるための上下移動手段を設けた構造とする。また上下移動手段として、略Ｊ字状に形成すると共に略Ｊ字状の前後を反転させてツルの先端部に固着した支持軸と、該支持軸に挿入して上下移動可能であると共に可動レンズ保持枠に連結した軸受と、可動レンズ保持枠がレンズ保持枠の上方で保持できるストッパー部材と、から少なくとも構成するのが好ましく、他の上下移動手段として、ガイド溝を有した角柱状に形成すると共にその上部をツルの先端部に固着させた支持柱と、該支持柱に挿入して上下移動可能であると共に可動レンズ保持枠に固着した挿入片と、可動レンズ保持枠がレンズ保持枠の上方で保持できるストッパー部材と、から少なくとも構成したものとしても良い。
【考案の効果】
【０００８】
請求項１のようにレンズを保持する一対のレンズ保持枠（１）と、該一対のレンズ保持枠（１）を連結するブリッジ（２）と、先端側が折畳み可能に取付けられたツル（４）と、鼻に当接して支持させる鼻当部（５）と、から少なくとも構成した眼鏡状のフレームに於いて、レンズ保持枠（１）の前方に対向させた可動レンズ保持枠（６）を配設すると共に該可動レンズ保持枠（６）を上下移動させるための上下移動手段（８）を設けることにより、レンズの前方に別レンズなどを配設し、それを上下移動して２種類のレンズなどが使い分け出来ると共に、装着者の目の高さがズレない（変化しない）ので、極めて見え易いものとなる。尚、本考案で言う「レンズなど」とは、レンズ以外に、色付きグラス，素通しグラス，偏光グラス，ウェアラブル端末グラスを含むものを指す。
【０００９】
請求項２のように上下移動手段（８）として、略Ｊ字状に形成すると共に略Ｊ字状の前後を反転させてツル（４）の先端部（4a）に固着した支持軸（81）と、該支持軸（81）に挿入して上下移動可能であると共に可動レンズ保持枠（６）に連結した軸受（82）と、可動レンズ保持枠（６）がレンズ保持枠（１）の上方で保持できるストッパー部材（83）と、から少なくとも構成されることにより、レンズの前方に別レンズなどを配設し、それを上下移動して２種類のレンズなどが使い分けされる際、可動レンズ保持枠（６）の外側の動きが規制され、別レンズなどの振れが極めて小さくなり、上下移動が容易で且つ目の疲れない見易いものとなる。
【００１０】
請求項３に示すように上下移動手段（８）として、ガイド溝（85a）を有した角柱状に形成すると共にその上部を前記ツル（４）の先端部（4a）に固着させた支持柱（85）と、該支持柱（85）に挿入して上下移動可能であると共に可動レンズ保持枠（６）の下部に固着した挿入片（86）と、可動レンズ保持枠（６）がレンズ保持枠（１）の上方で保持できるストッパー部材（83）と、から少なくとも構成されることにより、請求項２と同様の効果が得られる。
【図面の簡単な説明】
【００１１】
【図１】本考案の実施形態を示す説明図である。
【図２】本考案の別実施形態の上下移動手段を用いた斜視図である。
【図３】本考案の作用を示す説明図である。
【考案を実施するための形態】
【００１２】
本考案の実施形態を図１に基づいて説明する。（１）はレンズを保持する一対のレンズ保持枠であり、該レンズ保持枠（１）はレンズの外周を図中の如く囲っているが、これに限定するものではなく、例えば、縁なし眼鏡のレンズ保持枠（１）を用いても良い。またレンズ保持枠（１）の形状としては、略四角形に限定されるものではなく、例えば略円形，略楕円形や他の形状でも良い。
【００１３】
（２）は一対のレンズ保持枠（１）を連結するブリッジであり、該ブリッジ（２）の取付け位置は、レンズ保持枠（１）の上部に設けているが、上部に限定されるものではない。（４）はレンズ保持枠（１）の外側に蝶番（３）を介して先端側が折畳み可能に取付けられたツルである。尚、前記ツル（４）の形状は、図中の如き杆状だけでなく、ゴーグルのような略三角状に形成すると、後述する可動レンズ保持枠（６）にウェアラブル端末グラスを取付けた際には、スイッチや電源コードなどの多種の部品が設置し易いものとなる。（５）は鼻に当接して支持させる鼻当部である。
【００１４】
（６）はレンズ保持枠（１）の前方に対向させて配設する可動レンズ保持枠であり、該可動レンズ保持枠（６）はレンズ保持枠（１）と略同じ材質で且つ同形に形成している。尚、前記可動レンズ保持枠（６）の大きさは、レンズ保持枠（１）と同じものに限定されるものではない。（７）は一対の可動レンズ保持枠（６）を連結する可動ブリッジである。
【００１５】
（８）は可動レンズ保持枠（６）を上下移動させるための上下移動手段であり、該上下移動手段（８）として、略Ｊ字状に形成すると共に略Ｊ字状の前後を反転させてツル（４）の先端部（4a）に固着した支持軸（81）と、該支持軸（81）に挿入して上下移動可能であると共に可動レンズ保持枠（６）に連結した軸受（82）と、可動レンズ保持枠（６）が前記レンズ保持枠（１）の上方で保持できるストッパー部材（83）と、軸受（82）が支持軸（81）から抜けるのを防止する抜け防止具（84）と、から構成されている。前記ストッパー部材（83）としては、弾性力が付勢された球体などの突起が支持軸（81）を押圧する構造のものが好ましく、例えば、軸受（82）に穴を穿設し、該穴に球体とバネを挿入し、それらが飛び出さないようにネジ等で塞ぎ、球体の一部が軸受（82）内部から突出可能とする図示しない構造とし、球体の一部が係止するための凹み穴を図３（ｂ）のように支持軸（81）の上部に設けたものとするのが良い。
【００１６】
図２は別実施形態の上下移動手段（８）を示す図であり、これについて説明する。前記上下移動手段（８）には、ガイド溝（85a）を有した角柱状に形成すると共にその上部をツル（４）の先端部（4a）に固着させた支持柱（85）と、該支持柱（85）に挿入して上下移動可能であると共に可動レンズ保持枠（６）の下部に固着した挿入片（86）と、可動レンズ保持枠（６）がレンズ保持枠（１）の上方で保持できるストッパー部材（83）と、がある。前記支持柱（85）を角柱状に形成する代りに、角筒状に形成したものとしても良く、且つ、前記ガイド溝（85a）の長さは、可動レンズ保持枠（６）が上下移動する距離よりも若干長くしておくと良い。また前記ストッパー部材（83）は、ボールとバネに限定されるものではなく、レンズ保持枠（１）の上方で保持できる構造のものであれば、他のものでも良い。
【００１７】
次に本考案の作用を図３に基づいて説明する。先ず始めに（ａ）の状態について説明する。この状態は、眼鏡を装着した通常の使用時である。この場合、レンズ保持枠（１）の上方に可動レンズ保持枠（６）が配設され、該可動レンズ保持枠（６）が落下しないようにストッパー部材（83）によって保持されている。
【００１８】
次に（ｂ）に示す矢印のように可動レンズ保持枠（６）を手で掴んで降下させると、軸受（82）が支持軸（81）に沿って下方へ移動し、レンズ保持枠（１）の前方に可動レンズ保持枠（６）が来る。この時、可動レンズ保持枠（６）に設けられたレンズ、例えばサングラスであれば、通常の使用時のレンズにサングラスを重ねた状態になるので、眩しさが防止できる。
【００１９】
又、この時、可動レンズ保持枠（６）に設けられたウェアラブル端末グラスであれば、従来では考えられなかった多種類の情報を得ることが可能となる。尚、ウェアラブル端末グラスを設けた場合は、図示しないが、可動レンズ保持枠（６）がレンズ保持枠（１）の上方に来ると、電源が切れ、レンズ保持枠（１）の前方で対向した状態になると、電源が入るようなスイッチを備えておく必要がある。
【００２０】
また可動レンズ保持枠（６）に設けられたレンズ、例えば凸レンズ（老眼鏡）であれば、従来の如き１枚のレンズの上部を遠視用に、その下部を近視用（老眼鏡）に成した通常の遠近両用眼鏡を使用する場合と比べ、装着者の目の高さ（装着状態）を変化させる必要がないものとなり、本考案品は目の疲れが従来品よりもはるかに減少する。
【００２１】
このように、本考案品を用いれば、可動レンズ保持枠（６）を上下移動するだけで、簡単に２種類のレンズなどが使用できると共に、可動レンズ保持枠（６）は両側で規制されるので、ぐらつきが極めて少なく、且つ、スムーズに上下移動する。
【符号の説明】
【００２２】
１  レンズ保持枠
２  ブリッジ
４  ツル
4a  先端部 
５  鼻当部
６  可動レンズ保持枠
８  上下移動手段
81  支持軸 
82  軸受
83  ストッパー部材
85  支持柱 
85a  ガイド溝 
86  挿入片
【図１】
0003214278.tif 000003
【図２】
0003214278.tif 000004
【図３】
0003214278.tif 000005